(57)【要約】【課題】起立状態の保護ケースを手で支えることなく、電源線挿入穴への電源線の挿入が容易にできる換気扇を提供する。【解決手段】端子台１７の保護ケース２０は、１辺を除く他の３辺に側壁を有する下保護ケース２０ｂと、下保護ケース２０ｂの各側壁と嵌合して窓２６を形成する側壁を有し、さらに、その側壁のうち対向する両側壁から窓２６の手前側に延びる先端部の側壁２７が電源線挿入穴１６ａに被さらないように短く形成され、下保護ケース２０ｂと共に倒伏したときに電源線引出用の穴を残して固定ケース２０ｃとで窓２６を閉じる上保護ケース２０ａとで構成される。また、保護ケース２０は、起立したときに、背面立上り部に成形された組立用ガイドリブ３１に係合して、保護ケース２０の起立状態を維持する起立保持用リブ３０を備えている。【選択図】図５
2014016064.tif 000002
【特許請求の範囲】
【請求項１】
室内外を連通させるダクトあるいはパイプに室内側から挿入される円筒形状の風洞を有するフレームと、このフレームの風洞内で羽根車を回転させる電動機を有する送風機と、前記フレームの室内側の開口部の外周に連設され、半径方向に張り出すように形成されたフランジ部と、このフランジ部の端縁に設けられ、室内側の壁面に端面が当接するように背面側へ起立する背面立上り部と、この背面立上り部によりフランジ部に形成された凹部の背面の角部に設けられた端子台とを有する換気扇において、
前記端子台は、
外部からの電源線が挿入される電源線挿入穴を有し、ほぼ直方体状に形成された電源接続端子と、
ほぼ中央部に窓を有し、該窓から前記電源線挿入穴を露出させた状態で前記電源接続端子が収納された保護ケースと、
前記フランジ部の背面に固定され、前記保護ケースが倒伏されたときに、前記保護ケースとで前記窓を囲むように閉じる固定ケースとを備え、
前記保護ケースは、
１辺を除く他の３辺に側壁を有する下保護ケースと、
前記下保護ケースの各側壁と嵌合して前記窓を形成する側壁を有し、さらに、当該側壁のうち対向する両側壁から前記窓の手前側に延びる少なくとも先端部の側壁が前記電源線挿入穴に被さらないように短く形成され、前記下保護ケースと共に倒伏したときに電源線引出用の穴を残して前記固定ケースとで前記窓を閉じる上保護ケースとを備え、
前記保護ケースは、起立したときに、前記背面立上り部に成形されたガイドリブに係合して、当該保護ケースの起立状態を維持する起立保持用リブを備えていることを特徴とする換気扇。
【請求項２】
前記上保護ケースの先端側の側壁に外方にほぼ直角に連接された端面を有し、該端面と前記電源線挿入穴の間隔は、電源線の被覆の厚みよりも開いていることを特徴とする請求項１記載の換気扇。
【請求項３】
前記フランジ部の背面のうち前記固定ケースの近傍の背面に設けられ、前記保護ケースが倒伏されたときに、前記上保護ケースの端面に弾性的に係合し、当該保護ケースの倒伏状態を維持する保持爪を備えていることを特徴とする請求項１又は２記載の換気扇。
【請求項４】
前記上保護ケースの上部に突出して設けられ、壁面に当接したときに前記保護ケースを倒伏させる倒伏忘れ防止リブを備えたことを特徴とする請求項１乃至３の何れか一項に記載の換気扇。
【請求項５】
前記保護ケースは、当該保護ケースの前記窓より後方の両側壁に前記フランジ部の背面に回動自在に支持された一対の支持部を有し、前記支持部の一方の支持部が円筒状に形成されていることを特徴とする請求項１乃至４の何れかに記載の換気扇。
【請求項６】
前記円筒状の支持部には、前記電源接続端子と前記電動機とを電気的に接続する電線が挿通されていることを特徴とする請求項５記載の換気扇。
【請求項７】
前記上保護ケースの上部には、電源線の皮むき寸法図が刻印されていることを特徴とする請求項１乃至６の何れか一項に記載の換気扇。
【請求項８】
前記保護ケースは、難燃性樹脂で成形されていることを特徴とする請求項１乃至７の何れかに記載の換気扇。
【発明の詳細な説明】
【技術分野】
【０００１】
本発明は、電動機と電気的に接続された電源接続端子を有する換気扇に関するものである。
【背景技術】
【０００２】
従来の換気扇として、フランジ部の背面に、保護ケース内に電源接続端子を収納して構成される端子台を備えたものがある。その端子台に電源線を接続する際、保護ケースを起立させて、保護ケースの窓から露出する電源線挿入穴に電源線を挿入して電源接続端子と接続し、その状態で保護ケースを倒伏させてフランジ部の背面に固着して結線作業を完了させる。この結線作業は、ネジ付けする部品が無く、保護ケースにおける電源接続端子の塵埃保護を可能にしている（例えば、特許文献１参照）。
【先行技術文献】
【特許文献】
【０００３】
【特許文献１】特開２００６−２５０４３４号公報（図１、図２）
【発明の概要】
【発明が解決しようとする課題】
【０００４】
前述した従来の換気扇においては、電源線の結線の際に保護ケースごと起立させた場合、起立時の保護ケースを保持できず、保護ケースがその自重により回動して倒伏状態となるため、手で起立状態を保持し続けなければならなかった。また、フランジ部の背面に固定された固定ケースと嵌合する保護ケースの先端側の側壁が、電源接続端子の電源線挿入穴を被っており、そのため、電源線を斜めから挿入しなければならなかった。
【０００５】
本発明は、前記のような課題を解決するためになされたもので、起立状態の保護ケースを手で支えることなく、電源線挿入穴への電源線の挿入が容易にできる換気扇を得ることを目的とする。
【課題を解決するための手段】
【０００６】
本発明に係る換気扇は、室内外を連通させるダクトあるいはパイプに室内側から挿入された円筒形状の風洞を有するフレームと、このフレームの風洞内で羽根車を回転させる電動機を有する送風機と、フレームの室内側の開口部の外周に連設され、半径方向に張り出すように形成されたフランジ部と、このフランジ部の端縁に設けられ、室内側の壁面に端面が当接するように背面側へ起立する背面立上り部と、この背面立上り部によりフランジ部に形成された凹部の背面に設けられた端子台とを有する換気扇において、端子台は、外部からの電源線が挿入される電源線挿入穴を有し、ほぼ直方体状に形成された電源接続端子と、ほぼ中央部に窓を有し、その窓から電源線挿入穴を露出させた状態で電源接続端子が収納された保護ケースと、フランジ部の背面に固定され、保護ケースが倒伏されたときに、保護ケースとで前記窓を囲むように閉じる固定ケースとを備え、保護ケースは、１辺を除く他の３辺に側壁を有する下保護ケースと、下保護ケースの各側壁と嵌合して前記窓を形成する側壁を有し、さらに、当該側壁のうち対向する両側壁から前記窓の手前側に延びる少なくとも先端部の側壁が電源線挿入穴に被さらないように短く形成され、下保護ケースと共に倒伏したときに電源線引出用の穴を残して固定ケースとで前記窓を閉じる上保護ケースとを備え、保護ケースは、起立したときに、背面立上り部に成形されたガイドリブと係合して、その保護ケースの起立状態を維持する起立保持用リブを備えている。
【発明の効果】
【０００７】
本発明によれば、下保護ケースとで形成する窓の手前側に延びる少なくとも先端部の側壁が電源線挿入穴に被さらないように短く形成された上保護ケースを設け、保護ケースそのものを起立させたときには、起立保持用リブにより起立状態が維持されるので、手で保護ケースを支えることなく、電源接続端子の電源線挿入穴に鉛直方向から電源線を容易に挿入して接続することができる。
【図面の簡単な説明】
【０００８】
【図１】本発明の実施の形態に係る換気扇を示す断面図。
【図２】図１の換気扇を背面から見て示す背面図。
【図３】図１の換気扇を背面斜めから見て示す斜視図。
【図４】図３の換気扇において端子台の保護ケースを起立させた状態の斜視図。
【図５】換気扇の端子台を分解して示す斜視図。
【図６】端子台を左斜め上方から見て示す分解斜視図。
【図７】端子台を右斜め上方から見て示す分解斜視図。
【図８】端子台の保護ケースを起立させた状態の拡大平面図。
【図９】端子台の保護ケースの動作を示す側面図。
【図１０】保護ケースの側面図及び保護ケースをア−ア方向から見て示す断面図。
【発明を実施するための形態】
【０００９】
以下、本発明の実施の形態を図面に基づいて説明する。なお、以下の説明では、換気扇に備え付けられた端子台を例にとって説明するが、本発明の端子台は図示のものに限られるものではない。
【００１０】
本実施の形態に係る換気扇１００について、図１乃至図４を参照して、概要を説明する。
図１は本発明の実施の形態に係る換気扇を示す断面図、図２は図１の換気扇を背面から見て示す背面図、図３は図１の換気扇を背面斜めから見て示す斜視図、図４は図３の換気扇において端子台の保護ケースを起立させた状態の斜視図である。
【００１１】
本実施の形態に係る換気扇１００は、室内の空気を排気し、室外または外部の空気と入れ替えるために使用されるものである。そのため、換気扇１００は、室内と室外とを連通する排気ダクト１の中に室内側から挿入して装着されている。この換気扇１００は、排気ダクト１内に挿入する円筒状の風洞２を有する樹脂製の本体フレーム３と、プロペラ式の羽根車４及び電動機５とからなる送風機と、この送風機が組み付けられた本体６と、室内空気を吸い込むための化粧グリル７とを備えている。なお、排気ダクト１内に換気扇１００を装着したことを述べたが、排気ダクト１に代えて、パイプを用いてもよい。
【００１２】
本体フレーム３は、風洞２の前部に吸込口となるベルマウス形状の開口部８を備えており、開口部８の開口縁部には前面構造部が一体に形成されている。前面構造部は、半径方向に張り出すように形成された略正方形（丸形でも良い）のフランジ部９と、フランジ部９の端縁に形成された、室内側の壁面に端面が当接するように背面側へ折り曲げられた背面立上り部１０とから構成されている。
【００１３】
背面立上り部１０により形成されたフランジ部９の凹部の背面３４には、図２に示すように、電源入・切スイッチ１９及び結線部保護カバー１８が設けられている。結線部保護カバー１８は、閉端接続子等の電気接続部品が収納されており、スイッチ導体部やリード線結線部への接触防止のためのカバーである。また、前述の背面３４には、端子台１７が取り付けられている。その端子台１７は、後述するが、倒伏と起立が自在にできる回動式構造で、容易に電源線を接続可能になっている（図３及び図４参照）。前述の送風機は、本体フレーム３の風洞２の室外側に設けられた電動機取付構造部に取り付けられている。
【００１４】
電動機取付構造部は、図３及び図４に示すように、周方向に間隔をおいて風洞２の中心線方向に沿って背後に延出する四本の脚部１１と、各脚部１１の端部から半径方向内側に延びる橋絡部１２と、これらの脚部１１及び橋絡部１２により風洞２の中心に支持された電動機カバー１３（図１参照）とから構成されている。四本の脚部１１は、いずれも風洞２の外周より内側にあり、そのうちの一本の外側に反り付きの板バネ１４が装着されている（図２参照）。その板バネ１４は、図１に示すように、半径方向へ拡開する弾力により本体６を排気ダクト１内に保持している。この板バネ１４により送風機から伝わる振動を吸収している。
【００１５】
この電動機取付構造部において、電動機５の外殻のフランジに電動機カバー１３がネジ締めされている。電動機５の回転軸１５は、図１に示すように、電動機カバー１３の先から風洞２の軸心上に突き出している。そして、この電動機５の風洞２内の軸心上に延出する回転軸１５に、羽根車４が風洞２に内包される状態で装着されている。化粧グリル７は、本体フレーム３の前面構造部であるフランジ部９及び背面立上り部１０を内側に覆う構造となっており、本体６と爪による係合により取り付けられている。
【００１６】
次に、換気扇１００の端子台１７について、図５乃至図１０を参照して説明する。
図５は換気扇の端子台を分解して示す斜視図、図６は端子台を左斜め上方から見て示す分解斜視図、図７は端子台を右斜め上方から見て示す分解斜視図、図８は端子台の保護ケースを起立させた状態の拡大平面図、図９は端子台の保護ケースの動作を示す側面図、図１０は保護ケースの側面図及び保護ケースをア−ア方向から見て示す断面図である。
【００１７】
端子台１７は、例えば単相２線式のもので、フランジ部９の背面３４のうち、フランジ部９の角部と排気ダクト１との間の部分に収まるように形成されて設けられている（図２参照）。端子台１７は、図５に示すように、電源接続端子１６と難燃性樹脂で成形された保護ケース２０とで構成されている。電源接続端子１６は、２個の電源線挿入穴１６ａを有するほぼ直方体状に形成され、保護ケース２０に収納された状態で、電動機５と電線で電気的に接続されている。
【００１８】
保護ケース２０は、上保護ケース２０ａと下保護ケース２０ｂとで構成され、電源接続端子１６の電源線挿入穴１６ａを露出させる窓２６を有している。下保護ケース２０ｂは、１辺を除く他の３辺に側壁を有している。上保護ケース２０ａは、下保護ケース２０ｂの各側壁と嵌合して前記窓２６を形成する側壁を有し、さらに、その側壁のうち対向する両側壁から高さが低くなって窓２６より手前側に延びる側壁を有している。また、上保護ケース２０ａは、先端側の側壁２７に外方に直角に折り曲げられた端面２７ａを有している。さらに、保護ケース２０は、窓２６より奥の両側の側面に設けられた円筒状支持部２１と軸状支持部２２とにより、フランジ部９に回動自在に取り付けられている。保護ケース２０の回動範囲は、後述するが、０度から９０度の範囲である。
【００１９】
前述の円筒状支持部２１は、上保護ケース２０ａと下保護ケース２０ｂとで形成された円筒形状の突出部であり、軸状支持部２２は、上保護ケース２０ａの側面に設けられた円柱形状の突起である。円筒状支持部２１は、図７に示すように、フランジ部９の背面３４に設けられた支持爪２３間に回動自在に嵌め込まれ、図２に示す結線部保護カバー１８によって抜け止めされている。軸状支持部２２は、図６及び図７に示すように、フランジ部９の背面立上り部１０に設けられた係合孔２４に回動自在に嵌め込まれている。
【００２０】
上保護ケース２０ａと下保護ケース２０ｂは、図５及び図１０に示すように、双方の側面に設けられた階段形状の係止片２５により係合して一体となっている。保護ケース２０に収納された電源接続端子１６と電動機５とを電気的に接続している電線は、保護ケース２０の円筒状支持部２１に挿通されている。この構成を採用することにより、電線の捩じり剛性が保護ケース２０に加わることがないので、端子台１７の起立状態でのふらつきが抑制され安定する。また、電線の保護も図ることができる。
【００２１】
保護ケース２０に設けられた窓２６は、上保護ケース２０の前面側壁２７の一部から前方に延びる下方開放の円弧状突出部２８と、固定ケース２０ｃの前面側壁の一部から前方に延びる上方開放の円弧状突出部２９とで形成される楕円形状の開口部と連通している。その開口部は、電源線の引出用の穴である。保護ケース２０を引き上げたときには、固定ケース２０ｃがフランジ部９の背面３４に係止固定されてフランジ部９側に残り、電源接続端子１６の電源線挿入穴１６ａが窓２６から露出する。電源線を電源線挿入穴１６ａに挿入して接続した後に、保護ケース２０を倒伏したときには、上保護ケース２０ａと固定ケース２０ｃとで窓２６が囲まれて閉じられ、塵埃の侵入を防ぐことができる。
【００２２】
前記のように構成された端子台１７において、図９に示すように、倒伏状態の保護ケース２０を引き上げて起立させた場合、上保護ケース２０ａがフランジ部９の背面立上り部１０に当たり回動が規制される。この規制により、保護ケース２０の回動範囲が０度から９０度となる。保護ケース２０を９０度起立させたとき、保護ケース２０の側壁に一体成形された起立保持用リブ３０が背面立上り部１０に設けられた組立用ガイドリブ３１に引っ掛かり、保護ケース２０の起立状態が維持され、電源接続端子１６の電源線挿入穴１６ａが露出した状態となる。前述の組立用ガイドリブ３１は、端子台１７をフランジ部９に組立てる際に、その組立を容易にするために成形されたものである。
【００２３】
また、図８に示すように、保護ケース２０の先端側の側壁２７が電源接続端子１６の電源線挿入穴１６ａに被さらないように、その側壁２７に設けられた端面２７ａと電源線挿入穴１６ａとの間隔、即ち側壁２７の先端面と電源線挿入穴１６ａとの間隔が、電源線の被覆の厚みよりも開いている。その間隔は、電源線の太さにもよるが概ね３ｍｍ以上である。これにより、電源線を電源線挿入穴１６ａに挿入しやすくなり、電源接続端子１６との接続が容易となる。
【００２４】
フランジ部９の背面３４のうち固定ケース２０ｃの近傍の背面には、図９に示すように、弾性変形によって上保護ケース２０ａの端面２７ａに倒伏状態の保持及び解除が可能に係合する保持爪３２が設けられている。これにより、倒伏状態の保護ケース２０の安定性が確保されている。また、保持爪３２に引掛けることなく、換気扇１００を壁面（又は天井）に取付けた際に、上保護ケース２０ａが開状態となって、保護ケース２０の役割を果たさないことがないように、上保護ケース２０ａの上部に壁面に当接したときに保護ケース２０を倒伏させる倒伏忘れ防止リブ３３を設けている。また、上保護ケース２０ａには、結線作業を容易にするために、電源線の皮むき寸法図が刻印成形されている。
【００２５】
以上のように実施の形態においては、上保護ケース２０ａと下保護ケース２０ｂとで形成する窓２６から手前に延びる上保護ケース２０ａの側壁の高さを短くし、かつ、電源線挿入穴１６ａと側壁２７の端面２７ａとの間隔を３ｍｍ以上開けるようにし、保護ケース２０そのものを起立させたときには、起立保持用リブ３０により起立状態が維持されるようにしている。これにより、手で保護ケース２０を支えることなく、電源接続端子１６の電源線挿入穴１６ａに鉛直方向から電源線を容易に挿入して接続することができる。
また、保護ケース２０を倒伏させたときには、保持爪３２により上保護ケース２０ａと固定ケース２０ｃとの嵌合が保持されるので、保護ケース２０の倒伏状態が安定している。
また、上保護ケース２０ａの上部に倒伏忘れ防止リブ３３を設けているので、保護ケース２０を倒伏させることなく壁面や天井に取り付けた場合でも、上保護ケース２０ａと固定ケース２０ｃの嵌合が確実に行われ、しかも、その状態が保持爪３２により保持されるので、保護ケースにおける電源接続端子１６の保護を確実に果たすことができる。
さらに、保護ケース２０を倒伏したときに、上保護ケース２０ａと固定ケース２０ｃとで窓２６を囲むように閉じるので、ネジ付けする部品を用いることなく、塵埃から電源接続端子１６を保護することが可能になり、また、万が一のトラッキング発火などによる延焼拡大も防止することができる。
【符号の説明】
【００２６】
１  排気ダクト、２  風洞、３  本体フレーム、４  羽根車、５  電動機、６  本体、７  化粧グリル、８  開口部、９  フランジ部、１０  背面立上り部、１１  脚部、１２  橋絡部、１３  電動機カバー、１４  板バネ、１５  回転軸、１６  電源接続端子、１６ａ  電源線挿入穴、１７  端子台、１８  結線部保護カバー、１９  電源入・切スイッチ、２０  保護ケース、２０ａ  上保護ケース、２０ｂ  下保護ケース、２０ｃ  固定ケース、２１  円筒状支持部、２２  軸状支持部、２３  支持爪、２４  係合孔、２５  階段形状、２６  窓、２７  側壁、２７ａ  端面、２８  下方開放の円弧状突出部、２９  上方開放の円弧状突出部、３０  起立保持用リブ、３１  組立用ガイドリブ、３２  保持爪、３３  倒伏忘れ防止リブ、３４  凹部の背面、１００  換気扇。
【図１】
2014016064.tif 000003
【図２】
2014016064.tif 000004
【図３】
2014016064.tif 000005
【図４】
2014016064.tif 000006
【図５】
2014016064.tif 000007
【図６】
2014016064.tif 000008
【図７】
2014016064.tif 000009
【図８】
2014016064.tif 000010
【図９】
2014016064.tif 000011
【図１０】
2014016064.tif 000012